(57)【要約】【課題】ノイズによってエラーが発生した場合、ＤＡＭＰの再起動を行ってＤＡＭＰを正常な状態に復帰させ、ユーザの使い勝手を向上させたテレビ受像機を提供する。【解決手段】制御部２は、エラー端子Ｅから出力されるエラー信号のレベルを制御端子Ｃ１で監視する。そして、エラー信号のレベルがＨｉレベルになると、エラー端子Ｅから出力される該エラー信号がトランジスタＱのベース端子に入力してトランジスタＱをオン状態にし、ミュート端子ＭのレベルがＬｏｗレベルになる。そして、制御部２は、保護が働く前に、ＤＡＭＰ８の再起動をＤＡＭＰ８に指示する。これによりＤＡＭＰ８は再起動を行う。ノイズによってエラーが発生した場合には一過性のエラー発生が再起動完了時点で終了しているため、この再起動によってＤＡＭＰ８は正常な状態に復帰する。【選択図】  図２
2010287941.tif 000002
【特許請求の範囲】
【請求項１】
選択されているチャンネルのテレビ放送信号を受信する受信部と、
前記受信部で受信された前記テレビ放送信号からデジタルの音声信号を抽出する抽出部と、
前記抽出部で抽出された前記音声信号をミュートオン時にミュートするミュート回路を有し、前記抽出部で抽出された前記音声信号に基づく音声をスピーカから放音するデジタルアンプと、
前記デジタルアンプを監視し、前記デジタルアンプの異常状態を示すエラー信号を前記デジタルアンプが一定時間以上出力した時、前記デジタルアンプを保護する保護回路を有する制御部と、
を備えたテレビ受像機において、
前記デジタルアンプは、前記ミュートをオンオフするスイッチ信号が前記制御部から入力するミュート端子と前記エラー信号を前記制御部へ出力するエラー端子とを有し、前記スイッチ信号のレベルが所定レベルである場合に再起動を受け付けるアンプであり、
前記制御部は、
前記エラー信号が出力されたことを検知すると、前記スイッチ信号のレベルを前記所定レベルにし、
前記一定時間が経過するまでに、前記デジタルアンプの再起動を前記デジタルアンプに指示することを特徴とするテレビ受像機。
【請求項２】
前記制御部は、
前記デジタルアンプが再起動した回数をカウントするカウンタ回路を有し、
前記カウンタ回路のカウント値が所定回数に達した時、前記デジタルアンプを保護することを特徴とする請求項１に記載のテレビ受像機。
【請求項３】
前記デジタルアンプの前記ミュート端子は、スイッチ素子を介してグランドに接続され、
前記デジタルアンプは、前記エラー端子から出力される前記エラー信号を前記スイッチ素子に入力して前記スイッチ素子をオン状態にし、前記スイッチ信号のレベルを前記所定レベルにすることを特徴とする請求項１又は２に記載のテレビ受像機。
【発明の詳細な説明】
【技術分野】
【０００１】
本発明は、ミュート回路を有するデジタルアンプを備えたテレビ受像機に関するものである。
【背景技術】
【０００２】
従来から、選択されているチャンネルのテレビ放送信号を受信し、そのテレビ放送信号から音声信号を抽出するテレビ受像機が実用化され、一般に普及している。このようなテレビ受像機は、抽出されたデジタルの音声信号に基づく音声をスピーカから出力するデジタルアンプＩＣ（以下、ＤＡＭＰと称する）と、そのＤＡＭＰを制御する制御ＩＣと、を備えているものがある。ＤＡＭＰは、抽出された音声信号をミュートオン時にミュートするミュート回路を有する。
【０００３】
上記ＤＡＭＰは、エラー発生時、ＤＡＭＰの異常状態を示すエラー信号を制御ＩＣに出力する。ＤＡＭＰでは、ＤＡＭＰを通過する音声信号に重畳されるノイズやＤＡＭＰの破壊を原因としてエラーが発生する。制御ＩＣは、音声出力時にＤＡＭＰを監視しており、エラー信号をＤＡＭＰが一定時間（例えば２００ｍｓ）以上出力した時、ＤＡＭＰを保護する保護回路を内蔵している。ＤＡＭＰは、制御ＩＣによって保護されると、音声出力を停止する。また、制御ＩＣは、フェイルセーフモードに移行して装置本体の電源をスタンバイ状態にし、ユーザによる操作入力を禁止（無視）する。この場合、ユーザは、テレビ受像機の電源を再投入することになる。
なお、特許文献１では、共振電流検出装置が提案されている。
【先行技術文献】
【特許文献】
【０００４】
【特許文献１】特開２００７−２５８９０３公報
【発明の概要】
【発明が解決しようとする課題】
【０００５】
しかしながら、ノイズが原因でエラーが発生する場合、エラー発生は一過性なものであり、ＤＡＭＰを保護する必要はない。そのため、ノイズが原因でエラーが発生した場合まで保護が過剰に働き、ユーザがテレビ受像機の電源を再投入しなければならないのは、ユーザの使い勝手が悪かった。
【０００６】
本発明はこのような従来の課題を解決しようとするものであり、ノイズによってエラーが発生した場合、ＤＡＭＰの再起動を行ってＤＡＭＰを正常な状態に復帰させ、ユーザの使い勝手を向上させたテレビ受像機を提供することを目的とする。
【課題を解決するための手段】
【０００７】
本発明のテレビ受像機は、前記課題を解決するために以下の構成を備えている。
【０００８】
（１）選択されているチャンネルのテレビ放送信号を受信する受信部と、
前記受信部で受信された前記テレビ放送信号からデジタルの音声信号を抽出する抽出部と、
前記抽出部で抽出された前記音声信号をミュートオン時にミュートするミュート回路を有し、前記抽出部で抽出された前記音声信号に基づく音声をスピーカから放音するデジタルアンプと、
前記デジタルアンプを監視し、前記デジタルアンプの異常状態を示すエラー信号を前記デジタルアンプが一定時間以上出力した時、前記デジタルアンプを保護する保護回路を有する制御部と、
を備えたテレビ受像機において、
前記デジタルアンプは、前記ミュートをオンオフするスイッチ信号が前記制御部から入力するミュート端子と前記エラー信号を前記制御部へ出力するエラー端子とを有し、前記スイッチ信号のレベルが所定レベルである場合に再起動を受け付けるアンプであり、
前記制御部は、
前記エラー信号が出力されたことを検知すると、前記スイッチ信号のレベルを前記所定レベルにし、
前記一定時間が経過するまでに、前記デジタルアンプの再起動を前記デジタルアンプに指示することを特徴とする。
【０００９】
ノイズが原因でエラーが発生する場合、エラー発生は一過性なものである。そのため、この構成においては、保護回路による保護が働く前に、ＤＡＭＰに再起動を開始させている。ノイズによってエラーが発生した場合には一過性のエラー発生が再起動完了時点で終了しているため、この再起動によってＤＡＭＰが正常な状態に復帰する。
よって、ユーザはテレビ受像機の電源を再投入しなくとも済む。従って、この構成ではユーザの使い勝手を向上できる。
【００１０】
（２）前記制御部は、
前記デジタルアンプが再起動した回数をカウントするカウンタ回路を有し、
前記カウンタ回路のカウント値が所定回数に達した時、前記デジタルアンプを保護することを特徴とする。
【００１１】
ＤＡＭＰの破壊によってエラーが発生した場合、エラー発生は一過性のものでなく、継続性のあるものである。そのため、この場合、上記（１）においてＤＡＭＰの再起動を行ってもエラー発生は残存している。
そこで、カウント値が所定回数に達した時、制御部は、ＤＡＭＰの破壊によってエラーが発生したと判断し、デジタルアンプを保護する。
以上により、ノイズによってエラーが発生した場合にはＤＡＭＰの再起動を行い、ＤＡＭＰの破壊によってエラーが発生した場合にはＤＡＭＰを保護することができる。従って、ユーザの使い勝手を一層向上できる。
【００１２】
（３）前記デジタルアンプの前記ミュート端子は、スイッチ素子を介してグランドに接続され、
前記デジタルアンプは、前記エラー端子から出力される前記エラー信号を前記スイッチ素子に入力して前記スイッチ素子をオン状態にし、前記スイッチ信号のレベルを前記所定レベルにすることを特徴とする。
【００１３】
この構成では、上記（１）における制御部とデジタルアンプ間の回路構成を明示している。
【発明の効果】
【００１４】
この発明によれば、ユーザの使い勝手を向上できる。
【図面の簡単な説明】
【００１５】
【図１】本発明の実施形態であるディジタルテレビジョンの主要な構成を示すブロック図
【図２】本発明の実施形態であるディジタルテレビジョンの制御部とＤＡＭＰとを接続する接続回路の一例を示す図
【図３】本発明の実施形態であるディジタルテレビジョンの制御部が行う動作を示すフローチャート
【図４】上記接続回路を伝送する各種信号の波形を示す図
【図５】上記各種信号とＰ−ＯＮ信号の波形を示す図
【発明を実施するための形態】
【００１６】
以下、本発明の実施形態であるディジタルテレビジョンについて説明する。
【００１７】
図１は、本発明の実施形態であるディジタルテレビジョンの主要な構成を示すブロック図である。ディジタルテレビジョン（以下、TVと称する）１０１は、TV１０１の各部の動作を制御する制御部２と、選択されたチャンネルのディジタル放送波を受信するチューナ３と、受信したディジタル放送波をディジタルデータに復調する復調部４と、復調したディジタルデータから画像データと音声データとを分離し、両データを伸長するデコーダ５と、電源部７と、音声データの信号を音量レベルに応じて増幅し、アナログの再生音声信号に変換するＤＡＭＰ８と、画像を表示する表示部９と、音声を放音するスピーカ１０と、ユーザの操作入力を受付ける操作部１１と、制御プログラムを記憶する記憶部１３と、を備える。TV１０１は、例えば液晶テレビ、プラズマテレビである。
【００１８】
記憶部１３は、例えばフラッシュＲＯＭで構成される。記憶部１３は、装置本体各部の制御方法が記述された制御プログラムを予め記憶する。
【００１９】
制御部２は、例えばマイクロコンピュータで構成される制御ＩＣである。制御部２は、上記制御プログラムにより処理されるデータ等を展開するためのワークフィールドとしてのRAMと、ＤＡＭＰ８を保護する保護回路２Ａと、カウント値をカウントするカウンタ２Ｂと、時間を測定するタイマー回路（不図示）と、を内蔵する。
【００２０】
電源部７は、Ｐ−ＯＮ信号が制御部２から出力されている時、商用電源からＴＶ１０１各部の駆動電源を取り出して、ＴＶ１０１の各部に供給する。
【００２１】
操作部１１には、リモコン２００からの送信された命令を受信する受光部１１Ａが設けられている。リモコン２００には、例えば、チャンネルの選択を受付けるチャンネル選択キー、EPGの表示を受付けるEPG表示キー、電源のON／OFFを受付ける電源キー、音量の調整を受付ける音量キー、等が設けられている。ユーザは、いずれかのキーを押下してＴＶ１０１に命令する。
【００２２】
リモコン２００で押下されたキーに応じた信号は、命令としてリモコン２００のＬＥＤ（不図示）から送信され、操作部１１の受光部１１Ａで受信される。そして、操作部１１は受信した命令を制御部２に伝送する。
なお、操作部１１には、リモコン２００と同じキーが設けられている。
【００２３】
チューナ３は、アンテナ３０で受信しているディジタル放送波から、選択されたチャンネルのディジタル放送波を受信する。そして、チューナ３は、そのディジタル放送波を復調部４に出力する。
【００２４】
復調部４は、チューナ３から出力されたディジタル放送波を、ディジタルデータであるトランスポートストリームに復調し、出力する。
【００２５】
ここで、放送局は、テレビ番組の他に、各チャンネルで放送されているテレビ番組の属性（番組名、出演者等）を示す制御データを送信している。制御データは、例えばＰＳＩ／ＳＩデータである。この制御データには、トランスポートストリームに関するストリーム構成情報、放送局に関する放送局情報、各チャンネルで放送されているテレビ番組を特定する番組特定情報が記述されているＥＰＧ（電子番組表情報）などが含まれる。この番組特定情報は、例えば各チャンネルのチャンネル名、各チャンネルで放送されているテレビ番組の番組名である。
【００２６】
デコーダ５は、復調部４から出力されたトランスポートストリームから、画像データと音声データと制御データとを分離抽出する。ここで、分離抽出された画像データは、例えばMPEG２でエンコードされている。
さらに、デコーダ５は、分離した制御データを制御部２に出力する。制御部２は、デコーダ５から出力された制御データを記憶部１３に記録する。この制御データには、上述したように、ＥＰＧが含まれている。放送局からは、随時最新の制御データが送信されるため、記憶部１３に保存される情報は随時最新の情報に更新される。
【００２７】
なお、ＥＰＧの表示がリモコン２００で指示されると、制御部２は、ＥＰＧを表示部９で表示する。このＥＰＧは、縦軸の時間と横軸のチャンネルとでマトリックス状に構成されており、その時間とそのチャンネルとにテレビ番組の情報（番組名や番組内容に関する詳細情報など）が対応付けて記述されている。また、制御部２は、記憶部１３に保存されているＥＰＧのデータから、全テレビ番組の放送開始時刻と放送終了時刻を認識する。
【００２８】
一方、デコーダ５は、上記で分離した画像データをデコードする。最後に、デコーダ５は、画像データを表示部９に出力する。また、デコーダ５は、所定の形式（例えばＡＡＣやＭＰ３等）でエンコードされている音声データをＰＣＭ（Pulse Code Modulation）の音声データにデコードし、ＤＡＭＰ８に出力する。
【００２９】
表示部９は、例えばLCD（Liquid Crystal Display）である。表示部９は、デコーダ５から入力されたディジタルの画像データを処理してアナログの再生画像信号を生成し、再生画像信号に基づく画像を画面上に表示する。
【００３０】
ＤＡＭＰ８は、デジタルアンプＩＣの略であり、デコーダ５が出力したＰＣＭの音声データの信号を、制御部２から送信されるスイッチ信号によりミュートオンの指示があった時にミュート（消音）するミュート回路８Ａを内蔵する。また、ＤＡＭＰ８は、ミュート端子Ｍのレベルがグランドレベルにある場合に再起動を受け付けるアンプである。
【００３１】
ＤＡＭＰ８は、デコーダ５が出力したＰＣＭの音声データの信号を制御部２に設定される音量レベルに応じて増幅する。そして、ＤＡＭＰ８は、ＰＣＭの音声データの信号をアナログの再生音声信号に変換し、スピーカ１０に出力する。スピーカ１０は、再生音声信号に基づく音声を放音する。
【００３２】
上記ＤＡＭＰ８は、エラー発生時、ＤＡＭＰ８の異常状態を示すエラー信号を出力する。ＤＡＭＰ８では、ＤＡＭＰ８を通過する音声信号に重畳されるノイズやＤＡＭＰ８の破壊を原因としてエラーが発生する。制御部２は、音声出力時にＤＡＭＰ８を監視しており、Ｈｉレベル（この実施形態では１．５Ｖ）のエラー信号をＤＡＭＰ８が一定時間（この実施形態では２００ｍｓ）以上出力した時、ＤＡＭＰ８を保護する保護回路２Ａを内蔵している。ＤＡＭＰ８は、制御部２によって保護されると、音声出力を停止する。また、制御部２は、フェイルセーフモードに移行して装置本体の電源をスタンバイ状態にし、操作部１１又はリモコン２００におけるコマンド入力を禁止（無視）する。この場合、ユーザは、ＴＶ１０１の電源を再投入することになる。
【００３３】
しかしながら、ノイズが原因でエラーが発生する場合、エラー発生は一過性なものであり、ＤＡＭＰ８を保護する必要はない。そのため、ノイズが原因でエラーが発生した場合まで保護が働き、ユーザがＴＶ１０１の電源を再投入しなければならないのは、ユーザの使い勝手が悪い。
そこで、この実施形態では、ノイズによってエラーが発生した場合、ＤＡＭＰ８の再起動を行ってＤＡＭＰ８を正常な状態に復帰させる。具体的には下記のように構成している。
【００３４】
ここで、制御部２とＤＡＭＰ８は、図１に示すように、制御ラインＬ１、Ｌ２、Ｌ３で接続されている。ＤＡＭＰ８は、エラー信号を制御部２へ出力するエラー端子Ｅと、ミュートをオンオフするスイッチ信号が制御部２から入力するミュート端子Ｍと、音量レベルや再起動の指示等を示す制御信号が入力する被制御端子Ｃとを有する。スイッチ信号がＨｉレベルでミュートオンを指示し、スイッチ信号がＬoｗレベルでミュートオンを指示する。一方、制御部２は、エラー端子Ｅから出力されるエラー信号のレベルを監視する制御端子Ｃ１と、スイッチ信号をミュート端子Ｍへ送信する制御端子Ｃ２と、音量レベルや再起動の指示等を示す制御信号を被制御端子Ｃへ送信する制御端子Ｃ３とを有する。制御部２とＤＡＭＰ８とを接続する接続回路は、例えば図２に示すような回路で形成される。
【００３５】
図２は、制御部２とＤＡＭＰ８とを接続する接続回路の一例を示す図である。この接続回路は、スイッチ回路８１と、コンデンサＣを含む平滑回路８２と、を含む。この図では制御ラインＬ３を省略している。
【００３６】
スイッチ回路８１には、ＤＡＭＰ８のミュート端子Ｍをグランドに接地するトランジスタＱと、平滑回路８２のコンデンサＣからエラー端子Ｅへ電流が流れるのを防ぐ逆流防止ダイオードＤと、が設けられている。トランジスタＱのベース端子は、エラー端子Ｅに接続されている。
【００３７】
図３は、本発明の実施形態であるディジタルテレビジョンの制御部が行う動作を示すフローチャートである。この動作は、ＴＶ１０１の電源がオンした時の動作である。
【００３８】
制御部２は、エラー端子Ｅから出力されるエラー信号のレベルを制御端子Ｃ１で監視する（Ｓ１、Ｓ２）。これにより、制御部２は、ＤＡＭＰ８でエラーが発生していないかどうかを監視する。
【００３９】
そして、エラー信号のレベルがＨｉレベルになると（Ｓ２のＹ）、制御部２は、ミュート端子ＭのレベルをＬｏｗレベルにする（Ｓ３）。Ｓ３を設けた理由は、ＤＡＭＰ８が、ミュート端子ＭのレベルがＬｏｗレベルにある場合に再起動を受け付けるアンプであるためである。図２では、エラー端子Ｅから出力されるエラー信号がトランジスタＱのベース端子に入力してトランジスタＱをオン状態にし、スイッチ信号のレベルがグランドレベル（Ｌｏｗレベル）になる。
なお、このＳ２では、エラー信号のレベルがＨｉレベルになるのに併せてスイッチ信号のレベルがＨｉレベルになる。そのため、Ｓ３において制御部２はスイッチ信号のレベルをＬｏｗレベルにする。
【００４０】
制御部２は、一定時間が経過するまでに、ＤＡＭＰ８の再起動をＤＡＭＰ８に指示する（Ｓ４）。そして、制御部２は、Ｓ５〜Ｓ７の後Ｓ１に戻り、ＤＡＭＰ８の監視を継続する。この結果、制御部２による保護が働く前にＤＡＭＰ８は再起動を開始する。ＤＡＭＰ８は、ノイズによってエラーが発生した場合には一過性のエラー発生が再起動完了時点で終了しているため、この再起動によってエラー信号がＬｏｗレベルに戻る。即ち、ＤＡＭＰ８が正常な状態に復帰する。よって、ユーザはＴＶ１０１の電源を再投入しなくとも済む。従って、ＴＶ１０１ではユーザの使い勝手を向上できる。
なお、Ｓ６におけるカウント値の所定回数は、ノイズの発生が長時間（例えば１秒）に及ぶことを想定し、１０回などの大きい数に予め設定しても構わない。
【００４１】
一方、ＤＡＭＰ８の破壊によってエラーが発生した場合、エラー発生は一過性のものでなく、継続性のあるものである。そのため、上記Ｓ４においてＤＡＭＰ８の再起動を行ってもエラー発生が残存しているため、エラー信号の波形は、図４に示すようにＨｉレベルとＬｏｗレベルとを繰り返してしまう。ダイオードＤのカソードから出力される波形は矩形波を描く。
【００４２】
そこで、この実施形態では、Ｓ５〜Ｓ８を設け、ＤＡＭＰ８の破壊によってエラーが発生した場合、ＤＡＭＰ８を保護している。具体的には下記のように構成している。
【００４３】
制御部２は、ＤＡＭＰ８の再起動を行った回数を示すカウント値をカウンタ２Ｂに１加算させる（Ｓ５）。このカウント値はRAMに格納され、装置本体の電源がオフされた時、「０」にリセットされる。
【００４４】
制御部２は、現在のカウント値が所定回数以上であるかどうか判定する（Ｓ６）。所定回数は、例えば３回、５回である。
【００４５】
現在のカウント値が所定回数未満であった場合、制御部２は、所定時間待機する（Ｓ７）。所定時間は、例えば１５０ｍｓであり、ＤＡＭＰ８の再起動に要する時間と一定時間とを考慮して予め設定する。そして、制御部２は、Ｓ１に戻り、ＤＡＭＰ８の監視を継続する。
【００４６】
一方、現在のカウント値が所定回数以上であった場合、制御部２は、ＤＡＭＰ８の破壊によってエラーが発生したと判断し、ＤＡＭＰ８を保護し（Ｓ８）、本処理を終了する。ＤＡＭＰ８は、制御部２によって保護されると、音声出力を停止する。また、制御部２は、フェイルセーフモードに移行して装置本体の電源をスタンバイ状態にし、操作部１１又はリモコン２００におけるコマンド入力を禁止（無視）する。ＤＡＭＰ８の破壊によってエラーが発生した場合は、ＤＡＭＰ８を保護する必要があるため、装置本体の電源をスタンバイ状態にしている。図２では平滑回路８２を設けているため、ダイオードＤのカソードから出力される矩形波がコンデンサＣで平滑される。そのため、ＤＡＭＰ８の再起動を行った回数が所定回数以上になると、Ｈｉレベル（この実施形態では１．５Ｖ）のエラー信号が一定時間（この実施形態では２００ｍｓ）以上制御部２に入力されることになる。この結果、制御部２は電源部７へのＰ−ＯＮ信号をオフする（図５参照）。
【００４７】
よって、この実施形態では、ノイズによってエラーが発生した場合にはＤＡＭＰ８の再起動を行い、ＤＡＭＰ８の破壊によってエラーが発生した場合にはＤＡＭＰ８を保護することができる。従って、ユーザの使い勝手を一層向上できる。
【符号の説明】
【００４８】
２…制御部
２Ａ…保護回路
２Ｂ…カウンタ
３…チューナ
４…復調部
５…デコーダ
７…電源部
８…ＤＡＭＰ
８Ａ…ミュート回路
９…表示部
１０…スピーカ
１１…操作部
１１Ａ…受光部
３０…アンテナ
８１…スイッチ回路
８２…平滑回路
１０１…ＴＶ
２００…リモコン
【図１】
2010287941.tif 000003
【図２】
2010287941.tif 000004
【図３】
2010287941.tif 000005
【図４】
2010287941.tif 000006
【図５】
2010287941.tif 000007